(57)【要約】  いくつかの実施形態では、層を印刷及び処理する方法及びシステムが提供される。層は、ウエハ上又はアプリケーションパネル上にありうる。その後、実際に印刷及び処理された特徴のロケーションが測定される。測定された差異とそれらの特徴の設計されたロケーションとの差異に基づいて、少なくとも１つの歪みモデルが作成される。各歪みモデルを反転して、対応する補正モデルを作成する。複数のセクションがある場合、各セクションに対して歪みモデルと補正モデルを作成することができる。グローバルな補正モデルを作成するために、複数の補正モデルを組み合わせることができる。【選択図】図５
2020520474.tif 000002
【特許請求の範囲】
【請求項１】
基板の上に第１の層を印刷及び処理することと、
前記第１の層の上の実際の特徴ロケーションを測定することと、
前記第１の層の前記実際の特徴ロケーションと設計された特徴ロケーションから少なくとも１つの歪みモデルを作成することと、
前記少なくとも１つの歪みモデルを反転して、少なくとも１つの補正モデルを作成することと、
前記少なくとも１つの補正モデルを使用して、第２の層を印刷及び処理することと
を含む方法。
【請求項２】
前記少なくとも１つの歪みモデルが多項式形式で表される、請求項１に記載の方法。
【請求項３】
前記少なくとも１つの歪みモデルが、前記実際の特徴ロケーションと前記設計された特徴ロケーションとの差に応じて選択される、請求項１に記載の方法。
【請求項４】
前記印刷することと、
前記測定することと、
前記作成することと、
前記反転することと
を、最後から２番目の層が印刷及び処理されるまで繰り返すこと、及び、
前記最後から２番目の層の上の実際の特徴ロケーションと前記最後から２番目の層の設計された特徴ロケーションから作成された前記少なくとも１つの補正モデルを使用して、最後の層を印刷及び処理すること
を更に含む、請求項１に記載の方法。
【請求項５】
測定前に前記基板をセクションに分割すること
を更に含み、
前記セクションの各々が、前記実際の特徴ロケーション中の少なくとも１つの実際の特徴ロケーションを含む、請求項１に記載の方法。
【請求項６】
前記少なくとも１つの歪みモデルが複数の歪みモデルであり、前記複数の歪みモデルの各歪みモデルが反転され、前記少なくとも１つの補正モデルを作成し、前記少なくとも１つの補正モデルの各補正モデルが組み合わされ、グローバルな補正モデルを作成する、請求項５に記載の方法。
【請求項７】
ローパスフィルタが、前記セクションの隣接する境界に適用される、請求項５に記載の方法。
【請求項８】
前記少なくとも１つの補正モデルが、複数の代表的なプロセスから測定された平均歪みに基づいている、請求項１に記載の方法。
【請求項９】
前記少なくとも１つの補正モデルが、前記少なくとも１つの歪みモデルの平均から作成される、請求項１に記載の方法。
【請求項１０】
第１の基板の上に第１の層を印刷及び処理することと、
プレートのシフトと回転のために、第２の層を前記第１の層と位置合わせすることと、
前記第２の層を印刷及び処理することと、
前記第１の層と前記第２の層との間のずれを測定することと
を含む方法。
【請求項１１】
前記第１の層と前記第２の層との間の測定された前記ずれを使用して、前記第１の層及び補正された第２の層を再印刷することであって、前記第１の基板とは異なる第２の基板の上で行われる、前記第１の層及び補正された第２の層を再印刷することと、
プレートのシフトと回転のために、第３の層を前記第２の層と位置合わせすることと、
前記第３の層を印刷及び処理することと、
前記第３の層と前記第２の層との間のずれを測定することと
を更に含む、請求項１０に記載の方法。
【請求項１２】
前記第２の層と前記第３の層との間の測定された前記ずれを使用して、前記第１の層、前記補正された第２の層、及び補正された第３の層を再印刷することであって、前記第１の基板及び前記第２の基板とは異なる第３の基板の上で行われる、前記第１の層、前記補正された第２の層、及び補正された第３の層を再印刷すること
を更に含む、請求項１１に記載の方法。
【請求項１３】
前記第２の層が、前記第１の層の後の各々の個々の層であり、
プレートのシフト及び回転のために、各第２の層を前記第１の層と位置合わせすることと、
各第２の層を印刷及び処理することと、
各第２の層と前記第１の層との間のずれを測定することと
を含む、請求項１０に記載の方法。
【請求項１４】
基板の上に第１の層を印刷及び処理することと、
プレートのシフトと回転のために、第２の層を前記第１の層と位置合わせすることと、
前記基板の上に前記第２の層を印刷及び処理することと、
前記第１の層と前記第２の層との間のずれを測定することと、
プレートのシフトと回転のために、第３の層を前記第１の層と位置合わせすることと、
前記基板の上に前記第３の層を印刷及び処理することと、
前記第３の層と前記第１の層との間のずれを測定することと
を含む方法。
【請求項１５】
前記第１の層と前記第３の層との間に少なくとも１つの中間層を更に含み、
前記少なくとも１つの中間層の各層それぞれが、
プレートのシフトと回転のために、前記第１の層と位置合わせされ、
前記基板の上に印刷及び処理され、
前記第１の層とのずれについて測定される、請求項１４に記載の方法。
【発明の詳細な説明】
【技術分野】
【０００１】
本明細書の実施形態は、一般にリソグラフィに関し、より具体的には、アプリケーションパネル及びウエハのリソグラフィにおける歪み誤差を低減することに関する。
【背景技術】
【０００２】
フォトリソグラフィは、液晶ディスプレイ（ＬＣＤ）などの半導体デバイス及びディスプレイデバイスの製造に広く使用される。ただし、処理中にウエハとアプリケーションパネルが歪む可能性がある。歪みは、様々なプロセス段階から生じる可能性がある。歪みの大きさと形状は、層ごとに異なる場合がある。１つの層で誤差が発生すると、後続の層で歪みが増加することがある。更に、環境による熱又はガラス上の熱は、歪みに関連する応力を引き起こす可能性がある。
【０００３】
したがって、リソグラフィ処理中の歪み誤差を減らす必要がある。
【発明の概要】
【０００４】
本開示の実施形態は、概してリソグラフィに関し、より具体的には、アプリケーションパネル及びウエハのリソグラフィにおける歪み誤差を低減することに関する。１つの実施形態では、電流層を印刷及び処理する方法が提供される。電流層は、ウエハ上又はアプリケーションパネル上に存在しうる。その後、実際に印刷及び処理された特徴のロケーションが測定される。測定された差異とそれらの特徴の設計されたロケーションとの差異に基づいて、少なくとも１つの歪みモデルが作成される。各歪みモデルを反転して、対応する補正モデルを作成する。複数のセクションがある場合、各セクションに対して歪みモデルと補正モデルを作成することができる。グローバルな補正モデルを作成するために、複数の補正モデルを組み合わせることができる。
【０００５】
別の実施形態では、パターン配置誤差を測定する方法が提供される。システムは、第１の層を印刷し処理する。第１の層は、ウエハ上又はアプリケーションパネル上にありうる。その後、第２の層が第１の層と位置合わせされる。位置合わせは、プレートのシフトと回転を補償するためのものである。測定が行われ、２つの層間のずれ（即ち、特徴のロケーションの差）が測定される。第１の層と補正された第２の層（以前のずれ測定値を使用した）は、新しいウエハ又は新しいアプリケーションパネルのどちらかに印刷される。第３の層を第２の層と位置合わせし（再度プレートのシフトと回転を考慮して）、第２の層の上部に印刷して処理することができる。次に、第２の層と第３の層との間で、ずれ測定値が取られる。第１の層、補正された第２の層、及び補正された第３の層の印刷と処理は、更に別のウエハ又はアプリケーションパネルで行われる。
【０００６】
１つの実施形態では、第１の層と第２の層との間に少なくとも１つの中間層がある。この実施形態では、第２の層の位置合わせは、第１の層との位置合わせである。第２の層の印刷と処理の後に、第１の層と第２の層との間でずれ測定値が取られる。第１の層は、別のウエハ又はアプリケーションパネルに補正された層を再印刷及び処理することなく、後続のすべての層の参照として使用されることがある。例えば、第１の層と第２の層との間のずれ測定値を取得した後に、後続の層を第１の層と位置合わせし、第２の層の上部に印刷し処理することができる。
【０００７】
本開示の上記の特徴を詳細に理解することができるように、上記で簡単に要約した文書のより具体的な説明が実施形態を参照することにより得られ、その一部が添付図面に示される。添付図面は、典型的な実施形態を示しているにすぎず、したがって、この文書が他の同等に有効な実施形態を許容しうるため、その範囲を限定するものと見なされるべきではないことに留意されたい。
【図面の簡単な説明】
【０００８】
【図１】本明細書で開示される実施形態から恩恵を受けることができるシステムの斜視図である。
【図２】本明細書で開示される文書に従って歪み補正を提供するための処理ユニットの高レベルブロック図の実施形態を示す。
【図３Ａ】基板に対する変形の例の３次元の図を示す。
【図３Ｂ】図３Ａに示された変形のベクトル表示を示す。
【図４Ａ】基板に対する変形の別の例の３次元の図を示す。
【図４Ｂ】図４Ａに示された変形のベクトル表示を示す。
【図５】本明細書で開示される実施形態に従って歪みを補正する方法を示す。
【図６】本明細書で開示される実施形態に従ってセクションに分割された基板の実施形態を示す。
【図７】基板の例示的な歪みのベクトル表示を示す。
【図８】本明細書で開示される実施形態による、パターン配置誤差による歪みを補正する方法を示す。
【図９】セクションに分割された基板の例を示し、各セクションの歪みのベクトル表示を含む。
【図１０】特徴ロケーション測定点を含む図９に示された基板を示す。
【図１１Ａ】本明細書で開示される実施形態に従って補正することができる別の種類の歪みの例のベクトル表示を示す。
【図１１Ｂ】本明細書で開示される実施形態による歪みを補正する方法を示す。
【図１２】線形歪みの補正が図１１Ａに示す歪みに適用された後の歪みの減少のベクトル表示を示す。
【図１３】本明細書で開示される実施形態による、非線形歪みの補正が図１２に示す残留歪みに適用された後の歪みの低減のベクトル表示を示す。
【図１４】例示的な歪みのベクトル表示及び歪みの補正のベクトル表示を有する基板を示す。
【図１５】例示的な歪みのベクトル表示及び歪みの補正のベクトル表示を有する基板を示す。
【図１６】例示的な歪みのベクトル表示及び歪みの補正のベクトル表示を有する基板を示す。
【発明を実施するための形態】
【０００９】
理解を容易にするため、可能な場合には、図に共通する同一の要素を示すのに同一の参照番号を使用した。
【００１０】
以下の説明では、本開示のより完全な理解を提供するために、多数の特定の詳細が示される。しかしながら、当業者には明らかであるように、この文書の範囲から逸脱することなく、異なる構成を使用する様々な変更が行われてもよい。他の例では、この文書を不明瞭にすることを避けるために、周知の特徴は説明されていない。したがって、本開示は、本明細書に示される特定の例示的な実施形態に限定されるとは見なされず、そのような代替的実施形態はすべて、添付の特許請求の範囲に含まれるものとする。
【００１１】
本文献において、アプリケーションパネルとウエハとは交換可能に記載される。本明細書で開示される実施形態は、自由形状の歪み補正を利用して、線形歪み、非線形歪み、及びパターン配置誤差を含むがこれらに限定されない様々な歪みを補正する。本明細書で開示される自由形状の歪み補正は、線形歪みのみを補正するモダリティの欠陥を補償するために適用することもできる。「自由形状（ｆｒｅｅｆｏｒｍ）」は、本明細書では不規則であり、特定のパターン又は形状を必要としないと定義される。
【００１２】
要するに、本明細書に記載の実施形態は、一般に、層内の複数の点の実際の印刷された特徴ロケーションと、対応する設計された特徴ロケーションとの間の差の取得に関する。差は、どの補正モデルが歪みを減らすのに最も適しているかを判断するために使用することができる歪みの１つの形状を表す。いくつかの実施形態では、各差の逆数が、測定点のそれぞれに対する補正として適用される。
【００１３】
適切な歪み補正が選択された後に、光はデジタルマイクロミラーデバイス（「ＤＭＤ」）（図示せず）に反射される。各ＤＭＤは、個別に制御されうる複数のミラー（図示せず）を含む。複数のミラー内の各ミラーは、本明細書で提供されるマスクデータ及び歪み補正に基づいて「オン（ＯＮ）」位置又は「オフ（ＯＦＦ）」位置にありうる。光がミラーに到達すると、「オン」位置にあるミラーは複数の書き込みビームを投影レンズ（図示せず）に反射する。次に、投影レンズは、書き込みビームを基板１４０に投影する。「オフ」位置にあるミラーは、基板１４０の代わりに光ダンプ（図示せず）に光を反射する。いくつかの例では、本明細書で開示される歪み補正ソリューションの適用は、レイヤーごとにウエハ／アプリケーションパネル上の補正位置に対応するために、どのミラーが「オン」及び「オフ」とされるかを変更する。
【００１４】
他の実施形態では、パネル／ウエハはセクションに分割することができる。各セクションに最良の補正モデルを決定するために、各セクションの少なくとも１つの点を分析することができる。１つのセクションに適用される補正モデルは、別のセクションに適用される補正モデルと同一である必要はない。分析される点の数を増やすと、歪み補正の精度も向上する場合がある。
【００１５】
いくつかの実施形態では、補正モデルは、測定フィードバック又はモデルベースのバリエーションに基づいてプロセスの変化に動的に適応することができる。例えば、１つのバリエーションは、温度の関数としてモデルを使用し、歪みを決定し、歪みを補償することができる温度依存膨張の補正とすることができる。
【００１６】
図１は、本明細書で開示される実施形態から恩恵を受けうるシステム１００の斜視図である。システム１００は、ベースフレーム１１０、板状体（ｓｌａｂ）１２０、２つ以上のステージ１３０、及び処理装置１６０を含む。ベースフレーム１１０は、製造施設のフロアに置かれ、板状体１２０を支持しうる。受動空気アイソレータ１１２が、ベースフレーム１１０と板状体１２０との間に位置付けられうる。板状体１２０は花崗岩の一枚板であってよく、２つ以上のステージ１３０は、板状体１２０の上に配置されうる。基板１４０は、２つ以上のステージ１３０のそれぞれによって支持されうる。複数の孔（図示せず）がステージ１３０に形成されてよく、それにより、複数のリフトピン（図示せず）は、それらの孔を通って延びることが可能になる。リフトピンは、例えば１つ又は複数の移送ロボット（図示せず）から、基板１４０を受け取るために伸長位置まで上昇しうる。２つ以上のステージ１３０から基板１４０を搬出入するために、１つ又は複数の移送ロボットが使用されてもよい。
【００１７】
基板１４０は、例えば、石英で作られ、フラットパネルディスプレイの一部として使用されてもよい。他の実施形態では、基板１４０は他の材料で作られてもよい。いくつかの実施形態では、基板１４０は、その上に形成されたフォトレジスト層を有してもよい。フォトレジストは、放射に感応し、かつ、ポジ型フォトレジスト又はネガ型フォトレジストでありうる。つまり、放射に露光されるフォトレジストの部分は、それぞれ、パターンがフォトレジストに書き込まれた後にフォトレジストに塗布されるフォトレジストデベロッパに、可溶性になるか又は不溶性になるだろう。フォトレジストの化学組成により、そのフォトレジストがポジ型フォトレジストになるか、又はネガ型フォトレジストになるかが決まる。例えば、フォトレジストは、ジアゾナフトキノン、フェノールホルムアルデヒド樹脂、ポリ（メチルメタクリレート）、ポリ（メチルグルタルイミド）、及びＳＵ−８のうちの少なくとも１つを含みうる。この様態では、電子回路を形成するために、パターンが基板１４０の表面上に作成されてもよい。
【００１８】
システム１００は、一対の支持体１２２と、一対のトラック１２４とを更に含みうる。一対の支持体１２２が、板状体１２０上に配置されうる。板状体１２０及び一対の支持体１２２は、単一の材料片でありうる。一対のトラック１２４は、一対の支持体１２２によって支持されうる。２つ以上のステージ１３０は、トラック１２４に沿ってＸ方向に移動しうる。１つの実施形態では、一対のトラック１２４は、一対の平行な磁気チャネルである。図示されるように、一対のトラック１２４の各トラック１２４は線形である。他の実施形態では、トラック１２４は非線形の形状を有しうる。エンコーダ１２６は、ロケーション情報をコントローラ（図示せず）に提供するために各ステージ１３０に結合されうる。
【００１９】
処理装置１６０は、支持体１６２及び処理ユニット１６４を含みうる。支持体１６２は、板状体１２０の上に配置され、２つ以上のステージ１３０が処理ユニット１６４の下を通過するための開口部１６６を含みうる。処理ユニット１６４は、支持体１６２によって支持されうる。１つの実施形態では、処理ユニット１６４は、フォトリソグラフィプロセスでフォトレジストを露光するように構成されたパターン生成装置である。
【００２０】
いくつかの実施形態では、パターン生成装置は、マスクレスリソグラフィ処理を実施するよう構成されうる。処理ユニット１６４は、複数の画像投影装置（図示せず）を含みうる。１つの実施形態では、処理ユニット１６４は、８４の画像投影装置を含みうる。各画像投影装置は、ケース１６５に配置される。処理装置１６０は、マスクレス直接パターニングを実行するために利用されうる。
【００２１】
動作中、２つ以上のステージ１３０のうちの１つは、図１に示される搬入位置から処理位置までＸ方向に移動する。処理位置とは、ステージ１３０が処理ユニット１６４の下を通過する際の、ステージ１３０の１つ又は複数の位置を指しうる。動作中に、２つ以上のステージ１３０は、複数の空気軸受（図示せず）によって持ち上げられ、一対のトラック１２４に沿って搬入位置から処理位置まで移動しうる。ステージ１３０の動きを安定させるために、複数の垂直ガイド空気軸受（図示せず）が、各ステージ１３０に結合され、各支持体１２２の内壁１２８に隣接して位置付けられうる。２つ以上のステージ１３０の各々はまた、基板１４０の処理及び／又は割り出し（ｉｎｄｅｘ）のために、トラック１５０に沿って移動することによって、Ｙ方向にも移動しうる。２つ以上のステージ１３０の各々は、独立した動作が可能であり、基板１４０を一方向に走査し、他の方向に進むことができる。いくつかの実施形態では、２つ以上のステージ１３０のうちの１つが基板１４０を走査しているとき、２つ以上のステージ１３０のうちの別のものは、露出基板を搬出し、次の露光基板を搬入している。
【００２２】
計測システムは、複数の画像投影装置のそれぞれがフォトレジストで覆われた基板に書き込まれているパターンを正確に特定できるように、２つ以上のステージ１３０のそれぞれのＸ及びＹの横位置座標をリアルタイムで測定する。計測システムはまた、垂直軸又はＺ軸周囲の２つ以上のステージ１３０のそれぞれの角度位置のリアルタイム測定も提供する。角度位置測定は、サーボ機構による走査中に角度位置を一定に保持するために使用することができ、又は、基板１４０に書き込まれているパターンの位置に補正を適用するために使用することができる。
【００２３】
図２は、本明細書で開示される実施形態による、歪みモデル、歪み補正モデル、及びパターン配置誤差の補正を作成するための処理ユニット１６４の高レベルブロック図の実施形態を示す。例えば、処理ユニット１６４は、図５、図８及び図１１Ｂの方法を実行する際の使用に適している。図２の処理ユニット１６４は、プロセッサ２１０と、制御プログラムなどを記憶するためのメモリ２０４とを含む。
【００２４】
様々な実施形態において、メモリ２０４はまた、本明細書に記載の実施形態を実行することにより、歪みモデルを作成し、補正モデルを作成し、パターン配置誤差を補正するためのプログラム（例えば、「補正モデルモジュール」２１２として示される）も含む。メモリ２０４は、マスク設計のためのプログラム（図示せず）を含む。１つの実施形態では、マスク設計に関するファイルは、グラフィックデータシステムファイル（例えば、「ＧＤＳ」）に保存される。ただし、ファイルは、グラフィックデータを提供する任意の形式とすることができる。指示されると、これらのプログラムは、補正モデルに基づいて、どのミラーがライトダンプに未使用の光を透過させ、どのミラーが基板を照射するかを決定する。
【００２５】
プロセッサ２１０は、電源、クロック回路、キャッシュメモリなどの従来のサポート回路２０８、並びにメモリ２０４に保存されたソフトウェアルーチン２０６の実行を支援する回路と協働する。したがって、ソフトウェアプロセスとして本明細書に記載のプロセスステップのいくつかは、ストレージデバイス（例えば、光学ドライブ、フロッピードライブ、ディスクドライブなど）からロードし、メモリ２０４内に実装し、プロセッサ２１０によって動作させることができる。したがって、本文書の様々なステップ及び方法は、コンピュータ可読媒体に保存することができる。処理ユニット１６４はまた、処理ユニット１６４と通信する様々な機能要素間のインターフェースを形成する入出力回路２０２を含む。
【００２６】
図２は、本開示による様々な制御機能を実行するようにプログラムされた処理ユニット１６４を示しているが、コンピュータという用語は、当技術分野でコンピュータと呼ばれる集積回路だけに限定されず、コンピュータ、プロセッサ、マイクロコントローラ、マイクロコンピュータ、プログラマブルロジックコントローラ、特定用途向け集積回路、及び他のプログラム可能な回路を指し、これらの用語は、本明細書で互換的に使用される。加えて、簡潔にする目的で、１つの汎用コンピュータ１０００が図示される。本明細書に記載の方法のそれぞれは、別個のコンピュータで利用できると理解される。
【００２７】
一般に、歪みは、基板／ガラス上のロケーションの関数として、元の設計
2020520474.tif 000003
からの
2020520474.tif 000004
のバリエーションとしてモデル化することができる。これは、方程式（１）及び（２）で、
2020520474.tif 000005
として表すことができる。
ここで、
2020520474.tif 000006
は、ｘの歪みの量を位置の関数として表し、
2020520474.tif 000007
は、ｙの歪みの量を位置の関数として表す。
2020520474.tif 000008
及び
2020520474.tif 000009
の関数は、測定データに基づいて多項式係数を較正できる多項式形式をとりうる。
【００２８】
図３Ａは、基板に対する変形３００の例の３次元の図を示す。例えば、基板上で複数の層が処理されると、層は変形し、変形３００に示す「ハンプ（ｈｕｍｐ）」を形成する可能性がある。「Ｘ」及び「Ｙ」座標での測定単位は、ミクロンである。「Ｚ」軸の測定単位はない。図３Ａに示されている図では、中心はほとんどゼロであるが、コーナーとエッジは最大の歪みが発生する場所である。図３Ｂは、図３Ａに示される変形３００のベクトル表示３０２を示す。
【００２９】
図４Ａは、基板に対する変形４００の別の例の３次元の図を示す。例えば、基板を「チャック」の上に置くと、真空圧が基板に加えられ、基板が平らになり、歪みが減少する。ただし、エッジとコーナーの近くでは吸引力がそれほど大きくないため、エッジとコーナーの近くに歪みがなおも存在する可能性がある。真空の構成に応じて、歪みは、図４に示す歪みとは異なる形状になる可能性がある。図４Ｂは、図４Ａに示される変形４００のベクトル表示４０２を示す。
【００３０】
図５は、本明細書で開示される実施形態による歪みを補正する方法５００を示す。方法５００は、層がウエハ又はアプリケーションパネル上で印刷及び処理されるときに開始する。本文献で使用される「印刷及び処理」には、例えば、堆積、洗浄、現像、エッチング、露光などの一般的な手順が含まれる。そのため、印刷と処理は、より詳細に説明されることはない。ブロック５０２での印刷及び処理は、任意の層に対するものでありうる。
【００３１】
ブロック５０２の後で、方法５００はブロック５０６に進む。ブロック５０６で、特徴のロケーション点が基板上で測定され、それらの特徴の実際のロケーションが取得される。測定値は、処理ユニット１６４に向けて送信される。１つの実施形態では、測定値はデカルト座標の形式である。別の実施形態では、測定値はベクトルの形式である。更に別の実施形態では、測定値は、基準点からの距離及び角度の形式である。
【００３２】
ブロック５０８では、ブロック５０６で取得された測定値とメモリ２０６に保存されている設計された特徴ロケーションとの差が計算される。１つの実施形態では、計算された差を使用して、必要に応じて設計測定値を更新することができる。
【００３３】
１つの実施形態では、設計全体を小さなセル／セクションに分割し、そのセクションの中心に基づいて補正量
2020520474.tif 000010
を計算し、それに応じてそのセクション内でピクセル化された設計を移動することにより、補正の１つの形式を離散的に適用することができる。方法５００はまた、基板をセクションに分割するオプションのブロック５０４も含むことができる。ブロック５０４は、ブロック５１０の前のいつでも起こりうる。実例として、ブロック５０４は、ブロック５０６の前に起こるものとして示される。図６は、セクションに分割された基板６００の実施形態を示す。例示のみを目的として、基板６００は、９つのセクション６０２１、６０２２、６０２３、６０２４、６０２５、６０２６、６０２７、６０２８、及び６０２９（まとめて「セクション６０２」）に分割される。セクションのそれぞれはまた、測定可能な複数の特徴ロケーション点も含む。例えば、セクション６０２４は、８つの特徴ロケーション点を含む。
【００３４】
またセクション境界の「平滑化（ｓｍｏｏｔｈｉｎｇ）」を実行して、あるセクションから別のセクションへのマスク特徴の不連続の可能性を減らすこともできる。例えば、セクション境界を通過する必要がある線がある場合、その線に不連続性があることがある。１つの実施形態では、低域通過フィルタ（例えば、ガウスフィルタ）がセクション境界及びエッジで補正に適用され、不連続性を滑らかにする。
【００３５】
基板がセクションに分割されると、各セクションの特徴ロケーション点を測定し、各セクションに個別の歪みモデルを作成することができる。任意の所与のセクションのすべての特徴ロケーション点を測定する必要があるわけではない。任意のセクションで測定された特徴ロケーション点の数が増えると、そのセクションの歪みのマッピング精度も向上する。オプションのブロック５０４が実行されない場合、基板は１つのセクションとして分析することができる。
【００３６】
図５に戻ると、ブロック５１０で、実際の印刷された特徴ロケーションと設計された特徴ロケーションとの間の差（即ち、歪みの種類）に基づいて、歪みモデルが作成される。例えば、１つの実施形態では、「ピンクッション歪み（ｐｉｎｃｕｓｈｉｏｎ  ｄｉｓｔｏｒｔｉｏｎ）」が特定のマスク又はマスク内のセクションに関連付けられている場合、次いで、ピンクッション歪みに関連付けられた歪みモデルが適用されうる。様々な方程式を使用して、歪みモデルを作成することができる。１つの実施形態では、各ポリゴン点
2020520474.tif 000011
を以下によって定義される新しいロケーション
2020520474.tif 000012
に移動することにより、補正の一形態をポリゴンの設計に適用することができる。
2020520474.tif 000013
ここで、
2020520474.tif 000014
は新しいロケーションであり、
2020520474.tif 000015
及び
2020520474.tif 000016
は設計ロケーションを表し、
2020520474.tif 000017
はｘの歪みの量を位置の関数として表し、
2020520474.tif 000018
はｙの歪みの量を位置の関数として表す。
【００３７】
様々な方程式が本明細書に記載されるが、線形歪みを補正するために、それらの方程式又は他の方程式が使用されうる。いくつかの方程式は、多項式方程式の形式をとることができる。例えば、
2020520474.tif 000019
ここで、
2020520474.tif 000020
は所与の
2020520474.tif 000021
位置の
2020520474.tif 000022
の歪みであり、
2020520474.tif 000023
はロケーション特徴／点を含むセクションを表し、
2020520474.tif 000024
は、各セクションの多項式項の数を表し、
2020520474.tif 000025
はセクションの数を表し、
2020520474.tif 000026
は、以下の方程式（６）、（７）、（８）、（９）、（１０）、及び（１１）によって提供される多項式項であり、ｐ１、×０及びｐ１、×１は、測定値を近似することにより得られる
2020520474.tif 000027
などの係数である。
2020520474.tif 000028
ここで、
2020520474.tif 000029
は所与の
2020520474.tif 000030
位置の
2020520474.tif 000031
の歪みであり、
2020520474.tif 000032
はロケーション特徴／点を含むセクションを表し、
2020520474.tif 000033
は、各セクションの多項式項の数を表し、
2020520474.tif 000034
はセクションの数を表し、
2020520474.tif 000035
は、以下の方程式（６）、（７）、（８）、（９）、（１０）、及び（１１）によって提供される多項式項であり、ｐ１、×０及びｐ１、×１は、測定値を近似することにより得られる、
2020520474.tif 000036
、などの係数である。
2020520474.tif 000037
【００３８】
１つの実施形態において、複数の歪みモデルが存在する場合、方程式（４）及び（５）で示されるように、歪みモデルを組み合わせて１つの歪みモデルを作成することができる。しかし、別の実施形態では、各歪みモデルが反転され、補正モデルが組み合わされて１つの補正モデルが作成される。別の実施形態では、補正モデルは、複数のプロセスに基づく歪みの平均に基づいている。例えば、サンプルごとに歪み測定値にばらつきがある場合、複数のサンプルについて歪み測定値を取得することができる。これらのサンプルの平均歪みを使用して、補正モデルを作成することができる。
【００３９】
別の実施形態では、方法５００は、最後から２番目の層が印刷及び処理されるまで、ブロック５０２、５０６、５０８、及び５１０を繰り返し実行する。その後、最後から２番目の層の上の実際の特徴ロケーションと最後から２番目の層の設計された特徴ロケーションから、少なくとも１つの補正モデルを使用する最後の層が作成される。
【００４０】
図７は、基板７０２の例示的な歪み７０４のベクトル表示７００を示す。ベクトル７０８は、各測定点における例示的な歪み７０４の大きさと方向を表す。各ベクトル７０６は、各測定点での歪みの補正に使用することができる各測定点での歪みの逆数を表す。
【００４１】
図８は、本明細書で開示される実施形態による、パターン配置誤差による歪みを補正する方法８００を示す。方法８００は、第１の層を印刷及び処理することによりブロック８０２で開始する。ブロック８０４で、第２の層などの「別の」層が第１の層と位置合わせされる。方法８００で使用される「位置合わせ」は、プレートのシフト及び回転のための位置合わせを指す。位置合わせ後、第２の層が印刷及び処理される。ブロック８０６で、第１の層と第２の層との間のずれ（即ち、
2020520474.tif 000038
）が測定される。本明細書で使用される「ずれ（ｓｅｐａｒａｔｉｏｎ）」は、ある層の特徴の印刷ロケーションと別の層の特徴の印刷ロケーションとの差である。測定されたずれは、後で使用するためにメモリ２０４に保存することができる。
【００４２】
方法８００の他の実施形態は、いくつかのオプションのブロックを含む。例えば、１つの実施形態では、ブロック８０６の後に、方法８００はオプションのブロック８０８に進む。
【００４３】
ブロック８０８では、ブロック８０６で取得された測定値が、異なる基板上で使用されて、第１の層を再印刷し、補正された第２の層を再印刷する。第２の層は、ブロック８０６で取得したずれ測定値の逆数を使用して、第１の層と位置合わせされるように再印刷されている。その後、方法８００は、オプションのブロック８１０に進む。ブロック８１０で、第３の層などの後続の層が、第１の層及び補正された第２の層の上部に位置合わせされ、印刷され、処理される。オプションのブロック８１２で、第２の層と第３の層との間のずれ
2020520474.tif 000039
が測定される。測定されたずれはメモリに保存でき、測定されたずれの逆数を使用して、補正された第３の層を再印刷及び処理することができる。ブロック８１２の後、方法８００はブロック８０８に向けて処理され、別の基板上で、第１の層、補正された第２の層、及び補正された第３の層が印刷及び処理される。その後、方法８００は、上述のようにブロック８１０及び８１２に進む。この実施形態では、オプションのブロック８０８、８１０、及び８１２は、所望の層が印刷、位置合わせ、処理、及び測定されるまで、動作する反復ループを形成する。
【００４４】
別の実施形態では、第１の層は、後続の各層の基準として機能しうる。例えば、方法８００の実施形態では、ブロック８１０で、第３の層が第１の層と位置合わせされ、第２の層の上部に印刷されている。第２の層は、第１の層と第３の層との間の中間層である。第１の層は基準層として使用されるため、第３の層を印刷する前に第１の層と第２の層を別々の基板に印刷する必要はない。各層は、第１の層と位置合わせし、同じ基板上で印刷及び処理することができる。ブロック８１０の後に、方法８００は、オプションのブロック８１２に進む。ブロック８１２で、第１の層と第３の層との間のずれが測定され、後で使用するためにメモリ２０４に保存される。第１の層と後続の各層との間のずれが測定され、後で使用するためにメモリ２０４に保存される。ブロック８１０及び８１２は、所望の層が印刷され、位置合わせされ、処理され、測定されるまで反復ループとして動作する。
【００４５】
図９は、セクション（９０２１、９０２２、９０２３、及び９０２４（まとめて「セクション９０２」）に分割され、各セクションに歪みのベクトル表示を含む基板９００を示す。セクション９０２のそれぞれは、セクションの異なる領域に歪みを含む。
【００４６】
図１０は、複数の設計特徴測定部位（例えば、設計特徴測定部位１００２１、１００２２、及び１００２３（まとめて「設計特徴測定部位１００２」））を含む基板９００を示す。任意のセクション９０２の設計特徴測定部位１００２のいずれか又はすべてを使用して、設計特徴測定部位１００２を有するセクションの歪みを測定することができる。例えば、セクション９０２２及び９０２４のそれぞれで、１つの測定点１０００のみが選択されている。セクション９０２１では、歪み補正（例えば、非線形スケーリング補正）を適用するために、対応する実際の特徴点１００４で分析するように、４つの選択された測定点１０００から測定値が取得される。一般に、セクション内の測定値の数を増やすと、より高次の補正が可能になる。例えば、セクション９０２３では、他のセクションに提供される歪み補正の次数よりも高次の歪み補正を適用するために、８つの測定点１０００が選択される。
【００４７】
図１１Ａは、別の種類の歪み１１００のベクトル表示を示す。図１１Ａはまた、約１００ミクロンの歪み１１０４を有するセクション１１０２も含む。１つの実施形態において、歪み１１０４は、非線形補正１１０６を直接適用することにより補正することができる。
【００４８】
別の実施形態では、線形補正を歪み１１０４に適用して、セクション１１０２の歪みの量を低減することができる。「線形歪み」は、ある種のスケーリング誤差の可能性がある。線形歪みは、何らかの種類のスケーリング回転及び／又はシフトを使用することにより補正することができる。例えば、図１２は、線形歪みの補正が図１１に示される歪み１１０４に適用された後の部分１１０２における歪み１２０４の約４５ミクロンまでの減少のベクトル表示１２００を示す。線形歪みの補正が行われた後、非線形歪みの補正を適用して、歪みの量を更に減らすことができる。例えば、図１３は、図１２に示される歪み１２０４に非線形歪みの補正が適用された後の歪み１３０４（例えば、約９ｅ〜１４ミクロンまで）の低減のベクトル表示１３００を示す。
【００４９】
図１１Ｂは、本明細書で開示される実施形態による歪みを補正する方法１１０１を示す。ブロック１１０３では、２つの層（例えば、第１の層と第２の層）が印刷され処理される。ブロック１１０５で、第１の層上の特徴のロケーションと第２の層上のそれらの同じ特徴との間の差が測定される。１つの実施形態では、ブロック１１０５の後に、方法１１０１は、オプションのブロック１１０７に進む。ブロック１１０７で、ステップ１１０５からの測定値を使用して線形歪み（例えば、スケーリング、回転、及びシフトによる誤差）が計算される。その後、方法１１０１は、オプションのブロック１１０９に進む。ブロック１１０９で、線形歪みの補正が第２の層に適用される。線形歪みの補正が適用された後に、方法はブロック１１１１に進む。ブロック１１１１では、ブロック１１０５での測定値に基づいて歪みモデルが作成され、歪みモデルが反転されて補正モデルが作成され、補正モデルが結合される（複数のセクション及び補正が存在する場合）。ブロック１１１３で、歪みに非線形補正が適用される。
【００５０】
方法１１０１の別の実施形態では、ブロック１１０５の後に、方法１１０１は、ブロック１１１１に進み、オプションのブロック１１０７及び１１０９を実行することなく非線形の歪みを計算する。ブロック１１１１の後に、ブロック１１１３が上述のように実行される。
【００５１】
方程式（６）〜（１１）を使用して、方法１１０１で非線形の歪みを補正することができるが、他の方程式を使用することもできる。例えば、セクション１１０２の歪みが何らかの種類の「ピンクッション」歪みである場合、ピンクッション歪みモデルの実施形態は次のようになりうる。
2020520474.tif 000040
ここで、
2020520474.tif 000041
は基板の中心から所与の距離
2020520474.tif 000042
に対する基板上の新しい点を定義し、
2020520474.tif 000043
は
2020520474.tif 000044
とその特徴の印刷ロケーションとの差である。
2020520474.tif 000045
ここで、
2020520474.tif 000046
はｒとその特徴の印刷ロケーションとの差であり、
2020520474.tif 000047
は座標系の中心からの距離であり、
2020520474.tif 000048
は最大の歪みである。例えば、
2020520474.tif 000049
が１００ミクロンの場合、最大の歪みは１００ミクロンになりうる。
【００５２】
ブロック１１０７の線形歪みの補正のためのスケーリング方程式の例は、方程式（１４）及び（１５）により提供される。例えば、
2020520474.tif 000050
ここで、
2020520474.tif 000051
はｘの歪みの量、
2020520474.tif 000052
はｘ係数のスケーリング、
2020520474.tif 000053
は位置である。
2020520474.tif 000054
ここで、
2020520474.tif 000055
はｙの歪みの量、
2020520474.tif 000056
はｙ係数のスケーリングであり、
2020520474.tif 000057
は位置である。
【００５３】
非線形歪みを補正するために使用できる他の方程式の例は、方程式（１６）及び方程式（１７）によって提供される。例えば、
2020520474.tif 000058
ここで、
2020520474.tif 000059
は所与の
2020520474.tif 000060
位置の
2020520474.tif 000061
の歪みであり、
2020520474.tif 000062
は多項式の項の指数を表し、
2020520474.tif 000063
は多項式の項の数を表し、
2020520474.tif 000064
は、方程式（６）、（７）、（８）、（９）、（１０）、及び（１１）によって提供される多項式の項である。
2020520474.tif 000065
ここで、
2020520474.tif 000066
は所与の
2020520474.tif 000067
位置の
2020520474.tif 000068
の歪みであり、
2020520474.tif 000069
は多項式の項の指数を表し、
2020520474.tif 000070
は多項式の項の数を表し、
2020520474.tif 000071
は、方程式（６）、（７）、（８）、（９）、（１０）、及び（１１）によって提供される多項式の項である。
【００５４】
モデルパラメータ
2020520474.tif 000072
、並びに
2020520474.tif 000073
及び
2020520474.tif 000074
を決定するために、較正アルゴリズムを適用することができる。本明細書で開示される文書に従って使用することができる較正アルゴリズムの例は、コレスキーアルゴリズム（「コレスキー分解」としても知られている）である。
【００５５】
図１４は、基板１４００に対する非線形歪み１４０４の例のベクトル表示、及び歪み１４０４の補正１４０２のベクトル表示を示す。図１５は、基板１５００に対する非線形歪み１５０４の例のベクトル表示、及び歪み１５０４の補正１５０２のベクトル表示を示す。図１６は、基板１６００に対する非線形歪み１６０４の例のベクトル表示、及び歪み１６０４の補正１６０２のベクトル表示を示す。
【００５６】
本明細書で使用する「有する（ｈａｖｉｎｇ）」、「含む（ｃｏｎｔａｉｎｉｎｇ）」、「含む（ｉｎｃｌｕｄｉｎｇ）」、「含む（ｃｏｍｐｒｉｓｉｎｇ）」などの用語は、述べられた要素又は特徴の存在を示す制約のない用語であるが、追加の要素又は特徴を排除するものではない。冠詞「１つの（ａ、ａｎ）」、及び「その（ｔｈｅ）」は、文脈からそうでないことが明確に示されない限り、単数形だけでなく複数形も含むことを意図している。
【００５７】
上記は本開示の実施形態を対象としているが、他の更なる実施形態がその基本的な範囲から逸脱することなく考案されてもよく、その範囲は以下の特許請求の範囲によって決定される。
【図１】
2020520474.tif 000075
【図２】
2020520474.tif 000076
【図３Ａ】
2020520474.tif 000077
【図３Ｂ】
2020520474.tif 000078
【図４Ａ】
2020520474.tif 000079
【図４Ｂ】
2020520474.tif 000080
【図５】
2020520474.tif 000081
【図６】
2020520474.tif 000082
【図７】
2020520474.tif 000083
【図８】
2020520474.tif 000084
【図９】
2020520474.tif 000085
【図１０】
2020520474.tif 000086
【図１１Ａ】
2020520474.tif 000087
【図１１Ｂ】
2020520474.tif 000088
【図１２】
2020520474.tif 000089
【図１３】
2020520474.tif 000090
【図１４】
2020520474.tif 000091
【図１５】
2020520474.tif 000092
【図１６】
2020520474.tif 000093
【国際調査報告】
2020520474.tif 000094
2020520474.tif 000095
2020520474.tif 000096